(57)【要約】【課題】  排水経路を確実に確保すると共に、火災時には、中空部に形成した排水経路を確実に塞いで、防火性能を向上させる。【解決手段】中空部を有する下枠を備え、中空部の上壁及び室外側壁に排水孔が形成されており、中空部の室外側壁における排水孔を除く部位、及び、中空部内における室外側壁の排水孔に対向する部位に加熱により膨張する膨張材が配置されている。【選択図】  図４
2019190115.tif 000002
【特許請求の範囲】
【請求項１】
中空部を有する下枠を備え、
中空部の上壁及び室外側壁に排水孔が形成されており、
中空部の室外側壁における排水孔を除く部位、及び、中空部内における室外側壁の排水孔に対向する部位に加熱により膨張する膨張材が配置されている防火建具。
【発明の詳細な説明】
【技術分野】
【０００１】
本発明は、建物開口部に配置される防火建具に関する。
【背景技術】
【０００２】
建物開口部に配置される建具として、室内側に中空部を有する下枠を備える建具が公知となっている
【先行技術文献】
【特許文献】
【０００３】
【特許文献１】特開２０１４−９５７５号公報
【発明の概要】
【発明が解決しようとする課題】
【０００４】
上記特許文献１の建具は、下枠の室内側に配置した中空部に気密材を配置して、障子の閉鎖時に気密ラインを形成している。
このような建具においては、気密ラインの室内側に生じる結露を排水する排水経路を形成する場合があるが、そのような場合には、室内側の中空部の上壁と室外側壁にそれぞれ水抜孔を形成することができる。
しかし、建具においては、高い防火性能が求められており、火災時に、中空部の上壁と室外側壁の水抜孔による排水経路を通じて火炎が浸入することに対して対策が必要となる。
【０００５】
本発明は、上記の事情を鑑み、排水経路を確実に確保すると共に、火災時には、中空部に形成した排水経路を確実に塞いで、防火性能を向上させることを目的とする。
【課題を解決するための手段】
【０００６】
本発明の一実施形態は、中空部を有する下枠を備え、中空部の上壁及び室外側壁に水抜孔が形成されており、中空部の室外側壁における水抜孔を除く部位、及び、中空部内における室外側壁の水抜孔に対向する部位に加熱により膨張する膨張材が配置されている防火建具である。
【発明の効果】
【０００７】
本発明の一実施形態により、排水経路を確実に確保すると共に、火災時には、中空部に形成した排水経路を確実に塞いで、防火性能を向上させることができる。
【図面の簡単な説明】
【０００８】
【図１】本発明の実施形態に係る防火建具の外観図である。
【図２】本発明の実施形態に係る防火建具の竪断面図である。
【図３】本発明の実施形態に係る防火建具の横断面図である。
【図４】本発明の実施形態に係る防火建具の下枠部分の竪断面図である。
【図５】本発明の実施形態に係る防火建具の下枠部分の図であり、（ａ）（ｂ）は下枠に配置する加熱膨張材の正面図であり、（ｃ）は下枠の正面図及び対応する竪断面図である。
【図６】本発明の実施形態に係る防火建具の下枠部分の拡大斜視図である。
【発明を実施するための形態】
【０００９】
本発明の一実施形態の防火建具について、図面を参考にして説明する。
（全体の構成）
図１ないし３に示すように、本実施形態の防火建具は、上枠１１、下枠１２及び左、右竪枠１３，１４を四周に組んでなる枠体１の内周に上框２１、下框２２及び左、右竪框２３，２４を四周に組んで内周にガラス等のパネル体２５を嵌め込んでなる障子２を有している。
そして、上枠１１と上框２１との間及び下枠１２と下框２２との間に配置したフリクションバーなどの機構により、外開き自在に配置してなる外開き建具として構成されている。
【００１０】
枠体１を構成する上枠１１は、建物の躯体開口部の内周に配置される上枠本体部１１１と、上枠本体部１１１の室内側より下方に延設される室内側壁部１１２を有している。
室内側壁部１１２の室外側面の下端には、障子２の上框２１の室内側面に当接もしくは近接する気密材を取り付ける気密材取付部１１２ａが形成されており、気密材取付部１１２ａの上方（外周）位置には、加熱膨張材ホルダー１１２ｂが形成されている。
【００１１】
また、上枠本体部１１１の室外側端には、閉鎖時に障子２の上框２１の室外側部上端に当接もしくは近接する気密材を取り付ける気密材取付部１１１ａが形成されている。
【００１２】
枠体１を構成する下枠１２は、建物の躯体開口部の内周に配置される下枠本体部１２１と、下枠本体部１２１の室内側より立ち上がる中空部１２２を有している。
中空部１２２を構成する室外側壁１２２ａの室外側面の上端には、障子２の下框２２の室内側面に当接もしくは近接する気密材を取り付ける気密材取付部１２２ｓが形成されており、気密材取付部１２２ｓの下方（外周）位置には、加熱膨張材ホルダー１２２ｔが形成されている。
【００１３】
枠体１を構成する左竪枠１３は、建物の躯体開口部の内周に配置される左竪枠本体部１３１と、左竪枠本体部１３１の室内側より内周側に延びる室内側壁部１３２を有している。
室内側壁部１３２の室外側面の内周端には、障子２の左竪框２３の室内側面に当接もしくは近接する気密材を取り付ける気密材取付部１３２ａが形成されているとともに、気密材取付部１３２ａの外周位置には、加熱膨張材ホルダー１３２ｂが形成されている。
なお、枠体１を構成する右竪枠１４については、その構成は左竪枠１３とほぼ同様であるので、その説明は省略する。
【００１４】
障子２の上框２１は、中空部２１１ａを有する上框本体２１１と、上框本体２１１の室内側下面に取り付けられる押縁材２１２を有しており、上框本体２１１の中空部２１１ａの室外側下面から下方に延設された室外側間口壁部２１１ｂと押縁材２１２とによりパネル間口が形成されている。
【００１５】
障子２の下框２２は、中空部２２１ａを有する下框本体２２１と、下框本体２２１の室内側上面に取り付けられる押縁材２２２を有しており、下框本体２２１の中空部２２１ａの室外側上面から上方に延設された室外側間口壁部２２１ｂと押縁材２２２とによりパネル間口が形成されている。
【００１６】
障子２の左竪框２３は、中空部２３１ａを有する左竪框本体２３１と、左竪框本体２３１の室内側内周面に取り付けられる押縁材２３２を有しており、左竪框本体２３１の中空部２３１ａの室外側内周面から内周方向に延設された室外側間口壁部２３１ｂと押縁材２３２とによりパネル間口が形成されている。
左竪框本体２３１の中空部２３１ａの室外側端から外周方向に向かって室外側壁２３１ｃが延設されており、室外側壁２３１ｃの端部に左竪枠１３との間を気密する気密材が設けられている。
なお、障子２を構成する右竪框２４については、その構成は左竪框２３とほぼ同様であるので、その説明は省略する。
【００１７】
次に、本実施形態の防火建具の下枠１２の構成について、図４ないし６を参考にして、更に詳細に説明する。
図４（ａ）に示すように、下枠１２の室内側に立ち上がる中空部１２２は、室外側壁１２２ａと、上壁１２２ｂと、室内側壁１２２ｃを有しており、室外側壁１２２ａの室外側面の上端に配置される気密材ｓと障子２の下框２２の室内側面とによって、下枠の室内側の気密ラインが形成されている。
【００１８】
そして、中空部１２２の上壁１２２ｂの適宜位置には排水孔１２２ｍが形成されるとともに、室外側壁１２２ａの適宜位置に排水孔１２２ｎが形成されることで、中空部１２２内の空間Ａには、下枠１２の室内側の気密ラインより室内側に生じる結露水等を排水する排水経路Ｘが形成されている。
なお、排水孔１２２ｍ及び排水孔１２２ｎには、必要に応じて逆止弁等を設けることができる。
【００１９】
また、本実施形態の防火建具は、図４（ｂ）に示すように、火災時に、下枠１２と下框２２との間の空間Ｂを介して火炎や煙が侵入することを防止するために、中空部１２２の室外側壁１２２ａの室外側面に加熱により膨張する第１の加熱膨張材６１が配置されており、火災時に第１の加熱膨張材６１が膨張することで、下枠１２と下框２２との間の空間Ｂを閉塞することができる。
【００２０】
このとき、下枠１２の中空部１２２の室外側壁１２２ａに排水孔１２２ｎが形成されていることから、下枠１２の室外側壁１２２ａの排水孔１２２ｎが形成された位置に配置される第１の加熱膨張材６１については、図５（ｂ）に示すように、排水孔部分６１１ａが除かれた加熱膨張材６１１が配置されている。
これによって、下枠部分における排水経路Ｘを確保することができ、また、第１の加熱膨張材６１の結露水による劣化を防ぐことができる。
【００２１】
しかし、排水孔部分６１１ａが除かれた第１の加熱膨張材６１１を配置することで、火災時に、下枠１２と下框２２との間の空間Ｂにおける排水孔１２２ｎに対向する部分に加熱膨張材が十分に充満することができずに、隙間が生じてしまう可能性があり、中空部１２２に形成した排水経路Ｘを介して煙や火炎が浸入するおそれがあった。
そこで、本実施形態の防火建具においては、下枠１２の中空部１２２内の室内側壁１２２ｃであって、室外側壁１２２ａに形成した排水孔１２２ｎに対応する位置に、図５、図６に示すように、第２の加熱膨張材６２を配置している。
【００２２】
このように中空部１２２内の排水孔１２２ｎに対応する部位に第２の加熱膨張材６２を配置することで、火災時には、室外側壁１２２ａに設けた第１の加熱膨張材６１が膨張して下枠１２と下框２２との間の空間Ｂに充満するとともに、第２の加熱膨張材６２が膨張することで下枠１２の中空部１２２内に形成された排水経路Ｘを閉塞することができる。
さらに、第２の加熱膨張材６２は、排水孔１２２ｎを介して室外側にあふれ出し、第１の加熱膨張材６１により充満しきれない空間を満たして、下枠１２と下框２２との間の空間Ｂをより完全に閉塞することができる。
【００２３】
以上のように、本実施形態の防火建具によれば、中空部の室外側面に配置される膨張材は、排水孔を除く部位に配置されているので、排水孔によって形成される排水経路の排水を妨げることがなく、排水経路の排水によって加熱膨張材が劣化することを抑制することができる。
また、火災時には、中空部の室外側面に配置される加熱膨張材が下枠と障子の下框との間の隙間を塞ぐと共に、室外側壁の排水孔が配置される位置については、中空部内に配置される膨張材が排水孔を塞ぐと共に、下枠と障子の下框との間の隙間に充満されるので、下枠と障子との間において、室内外の連通を抑制することができる。
【００２４】
なお、以上の実施形態は，請求項に記載された発明を限定するものではなく，例示として取り扱われることは言うまでもない。
【符号の説明】
【００２５】
１            ：枠体
２            ：障子
１２          ：下枠
１２１        ：下枠本体部
１２２        ：中空部
１２２ａ      ：室外側壁
１２２ｂ      ：上壁
１２２ｃ      ：室内側壁
１２２ｍ      ：排水孔
１２２ｎ      ：排水孔
１２２ｓ      ：気密材取付部
１２２ｔ      ：加熱膨張材ホルダー
６１（６１１）：第１の加熱膨張材
６１１ａ      ：排水孔部分
６２          ：第２の加熱膨張材
【図１】
2019190115.tif 000003
【図２】
2019190115.tif 000004
【図３】
2019190115.tif 000005
【図４】
2019190115.tif 000006
【図５】
2019190115.tif 000007
【図６】
2019190115.tif 000008